(57)【要約】【課題】  ガタツキを低減して伝達系に係わる精度及び安定性を高めるとともに、調整による面倒な作業工程や高度の精密加工部品を不要にして全体のコスト低減や作業性を高める。【解決手段】  複数の筒部材Ｃａ…における任意の筒部材（Ｃｂ）に一端側を固定した連結具４の他端側に形成した係合凸部４ｓを、他の筒部材（Ｃｄ）に形成した係合凹部５ｈに係合させることにより、少なくとも周方向Ｆｆへの相対的回動変位を規制する筒部材連結機構３を備える。特に、係合凸部４ｓの周方向Ｆｆにおける少なくとも一方側の係合辺部４ｓｐに、係合凹部５ｈに係合させた際に当該係合辺部４ｓｐの先端４ｓｐｃを通る法線Ｌｓに対して、所定角度Ｑｓだけ傾斜させた傾斜辺部１１ｐを形成するとともに、傾斜辺部１１ｐが係合する係合凹部５ｈにおける壁面部５ｈｐを、当該傾斜辺部１１ｐに線接触又は面接触可能な傾斜面部１２ｐに形成する。【選択図】  図１
2018105896.tif 000002
【特許請求の範囲】
【請求項１】
複数の筒部材（リング部材を含む）を、同軸上であって径方向に重ねて配したレンズ鏡筒部を備えるとともに、前記複数の筒部材における任意の筒部材に一端側を固定した連結具の他端側に形成した係合凸部を、他の筒部材に形成した係合凹部に係合させることにより、少なくとも周方向への相対的回動変位を規制する筒部材連結機構を備えてなる光学機器のレンズ装置において、前記係合凸部の前記周方向における少なくとも一方側の係合辺部に、前記係合凹部に係合させた際に当該係合辺部の先端を通る法線に対して、所定角度だけ傾斜させた傾斜辺部を形成するとともに、前記傾斜辺部が係合する前記係合凹部における壁面部を、当該傾斜辺部に線接触又は面接触可能な傾斜面部に形成してなることを特徴とする光学機器のレンズ装置。
【請求項２】
前記係合凸部は、前記任意の筒部材の周方向における１８０〔°〕対向する位置に一対設けるとともに、前記係合凹部は、前記他の筒部材の周方向における１８０〔°〕対向する位置に一対設けてなることを特徴とする請求項１記載の光学機器のレンズ装置。
【請求項３】
前記係合凸部は、前記周方向における両側の係合辺部に、前記傾斜辺部を形成してなることを特徴とする請求項１又は２記載の光学機器のレンズ装置。
【請求項４】
前記係合凹部は、前記係合凸部の軸方向への相対的平行移動を許容し、かつガイド可能な形状に形成することを特徴とする請求項１又は２記載の光学機器のレンズ装置。
【請求項５】
前記任意の筒部材は、前記レンズ鏡筒部における位置が固定された固定筒部であることを特徴とする請求項１記載の光学機器のレンズ装置。
【請求項６】
前記他の筒部材は、前記レンズ鏡筒部に備える前記リング部材を構成するフォーカス調整リングの回動変位が伝達されるフォーカスレンズ支持筒部であることを特徴とする請求項１記載の光学機器のレンズ装置。
【発明の詳細な説明】
【技術分野】
【０００１】
本発明は、レンズ鏡筒部における任意の筒部材と他の筒部材間に設ける筒部材連結機構を備える光学機器のレンズ装置に関する。
【背景技術】
【０００２】
従来、リング部材を含む複数の筒部材を、同軸上であって径方向に重ねて配したレンズ鏡筒部を備えた、カメラ等の光学機器に用いるレンズ装置としては、例えば、特許文献１に開示される光学機器のレンズ装置が知られている。
【０００３】
同文献１で開示される光学機器のレンズ装置は、部品コスト及び製造コストの双方を含むコストダウンを実現するとともに、レンズ装置全体の小型化及び軽量化を図り、また、像面調整に対する高速化を図るとともに、安定性及び円滑性の高い調整系を構築することを目的としたものであり、具体的には、レンズ鏡筒に設けた少なくともフォーカス調整操作部の操作によりフォーカスレンズ部を光軸方向へ変位させてフォーカス調整を行うフォーカス調整機構を備える光学機器のレンズ装置を構成するに際し、レンズ鏡筒に光軸方向へ変位可能に配設した、像面調整レンズを有する像面調整レンズ部と、フォーカス調整操作部の操作量に対応して像面を調整する変位量だけ像面調整レンズ部を光軸方向に変位させて像面調整を行う像面調整機構を設けたものである。
【先行技術文献】
【特許文献】
【０００４】
【特許文献１】特開２０１４−２０２８８２号公報
【発明の概要】
【発明が解決しようとする課題】
【０００５】
しかし、上述した特許文献１における光学機器のレンズ装置をはじめ、従来のレンズ装置は次のような解決すべき課題が存在した。
【０００６】
即ち、この種のレンズ装置、特に、フォーカス調整を行うフォーカス調整機構を備えるレンズ装置では、レンズ鏡筒部を構成する場合、例えば、特許文献１のように、外側から内側に、フォーカス調整操作部（フォーカス調整リング）、固定筒部、中間筒部，フォーカスレンズ部（レンズ支持筒部）を含む四つの筒部材を備えるとともに、これらの各筒部材は、同軸上であって径方向に重ねて構成する。
【０００７】
また、このような構造における四つの筒部材は、相互に関連し合って機能することも多いため、外側の筒部材から中間の筒部材を介して内側の筒部材に操作量等を伝達させる場合も少なくない。この場合、筒部材連結機構を設けることにより別体の筒部材同士を連結するとともに、通常、係合関係により連結するため、少なからずガタツキが発生する。特に、周方向への変位を規制し、かつ軸方向への変位を許容する伝達機構を含む場合、このガタツキは伝達系全体の精度に直接影響する。
【０００８】
結局、ガタツキを低減するには、筒部材連結機構の一部を微細加工により調整する面倒な作業工程を必要としたり、或いは高度の精密加工部品を用意する必要があるなど、これらを改善すべき更なる課題も存在した。
【０００９】
本発明は、このような背景技術に存在する課題を解決した光学機器のレンズ装置の提供を目的とするものである。
【課題を解決するための手段】
【００１０】
本発明は、上述した課題を解決するため、複数の筒部材（リング部材を含む）を、同軸上であって径方向に重ねて配したレンズ鏡筒部２を備えるとともに、複数の筒部材Ｃａ，Ｃｂ，Ｃｃ，Ｃｄ…における任意の筒部材（Ｃｂ）に一端側を固定した連結具４の他端側に形成した係合凸部４ｓを、他の筒部材（Ｃｄ）に形成した係合凹部５ｈに係合させることにより、少なくとも周方向Ｆｆへの相対的回動変位を規制する筒部材連結機構３を備えてなる光学機器のレンズ装置１を構成するに際して、係合凸部４ｓの周方向Ｆｆにおける少なくとも一方側の係合辺部４ｓｐ…に、係合凹部５ｈに係合させた際に当該係合辺部４ｓｐ…の先端４ｓｐｃ…を通る法線Ｌｓ…に対して、所定角度Ｑｓ…だけ傾斜させた傾斜辺部１１ｐ…を形成するとともに、傾斜辺部１１ｐ…が係合する係合凹部５ｈにおける壁面部５ｈｐ…を、当該傾斜辺部１１ｐ…に線接触又は面接触可能な傾斜面部１２ｐ…に形成してなることを特徴とする。
【００１１】
この場合、発明の好適な態様により、係合凸部４ｓ…は、任意の筒部材（Ｃｂ）の周方向Ｆｆにおける１８０〔°〕対向する位置に一対（４ｓ，４ｓ）設けるとともに、係合凹部５ｈ…は、他の筒部材（Ｃｄ）の周方向Ｆｆにおける１８０〔°〕対向する位置に一対（５ｈ，５ｈ）設けることが望ましい。また、係合凸部４ｓは、周方向Ｆｆにおける両側の係合辺部４ｓｐ，４ｓｑに、傾斜辺部１１ｐ，１１ｑを形成することが望ましい。一方、係合凹部５ｈは、係合凸部４ｓの軸方向Ｆｓへの相対的平行移動を許容し、かつガイド可能な形状に形成することができる。さらに、任意の筒部材（Ｃｂ）としては、レンズ鏡筒部２における位置が固定された固定筒部Ｃｂに適用できるとともに、他の筒部材（Ｃｄ）としては、レンズ鏡筒部２に備えるリング部材を構成するフォーカス調整リングＣａの回動変位が伝達されるフォーカスレンズ支持筒部Ｃｄに適用できる。
【発明の効果】
【００１２】
このような構成を有する本発明に係る光学機器のレンズ装置１によれば、次のような顕著な効果を奏する。
【００１３】
（１）  係合凸部４ｓの周方向Ｆｆにおける少なくとも一方側の係合辺部４ｓｐ…に、係合凹部５ｈに係合させた際に当該係合辺部４ｓｐ…の先端４ｓｐｃ…を通る法線Ｌｓ…に対して、所定角度Ｑｓ…だけ傾斜させた傾斜辺部１１ｐ…を形成するとともに、傾斜辺部１１ｐ…が係合する係合凹部５ｈにおける壁面部５ｈｐ…を、当該傾斜辺部１１ｐ…に線接触又は面接触可能な傾斜面部１２ｐ…に形成してなるため、特に、周方向Ｆｆへの変位を規制し、かつ軸方向Ｆｓへのスライド変位を許容する伝達機構を含む場合であっても、ガタツキを大幅に低減でき、伝達系に係わる精度及び安定性を高めることができる。しかも、筒部材連結機構３の一部を微細加工して調整を行う面倒な作業工程を不要にできるとともに、高度の精密加工部品を用意する必要も無くなり、全体のコスト低減や作業性を高めることができる。
【００１４】
（２）  好適な態様により、係合凸部４ｓ…を、任意の筒部材（Ｃｂ）の周方向Ｆｆにおける１８０〔°〕対向する位置に一対（４ｓ，４ｓ）設けるとともに、係合凹部５ｈ…を、他の筒部材（Ｃｄ）の周方向Ｆｆにおける１８０〔°〕対向する位置に一対（５ｈ，５ｈ）設ければ、他の筒部材（Ｃｄ）に対して、１８０〔°〕対向する二位置から係合させることにより連結できるため、中心がブレることなく位置的にバランスのとれた安定した筒部材連結機構３を構成できる。
【００１５】
（３）  好適な態様により、係合凸部４ｓを形成するに際し、周方向Ｆｆにおける両側の係合辺部４ｓｐ，４ｓｑに、傾斜辺部１１ｐ，１１ｑを形成すれば、反対の向きとなる二方向から係止させることができるため、一方向に片寄ることなく係合方向の観点からバランスのとれた安定した係合状態を確保できる。
【００１６】
（４）  好適な態様により、係合凹部５ｈを、係合凸部４ｓの軸方向Ｆｓへの相対的平行移動を許容し、かつガイド可能な形状に形成すれば、係合凹部５ｈに対する係合凸部４ｓの軸方向Ｆｓにおける相対位置が異なる場合であってもガタツキを低減できるため、レンズ鏡筒部２の各筒部材Ｃａ…におけるガイド機能や調整機能等の本来の機能を円滑かつ正確に発揮させることができる。
【００１７】
（５）  好適な態様により、任意の筒部材（Ｃｂ）として、レンズ鏡筒部２における位置が固定された固定筒部Ｃｂに適用すれば、固定筒部Ｃｂと他の筒部材（Ｃｄ）を、筒部材連結機構３を介してガタツキなく連結できるため、他の筒部材（Ｃｄ）を、固定筒部Ｃｂと一体となるように確実かつ安定した固定状態にすることができるとともに、全体の剛性を高めることができる。
【００１８】
（６）  好適な態様により、他の筒部材（Ｃｄ）として、レンズ鏡筒部２に備えるリング部材を構成するフォーカス調整リングＣａの回動変位が伝達されるフォーカスレンズ支持筒部Ｃｄに適用すれば、フォーカスレンズ支持筒部Ｃｄと任意の筒部材（Ｃｂ）に対して筒部材連結機構３を介して連結できるため、フォーカスレンズ支持筒部Ｃｄの周方向Ｆｆに対する回動変位を確実かつ安定に規制可能となり、フォーカスレンズ支持筒部Ｃｄの精度の高い軸方向Ｆｓの変位、即ち、高精度のフォーカス調整を実現できる。
【図面の簡単な説明】
【００１９】
【図１】本発明の好適実施形態に係るレンズ装置に備える筒部材連結機構の部位を示す正面図、
【図２】同レンズ装置に備える筒部材連結機構の係合凹部と係合凸部の係合状態を示すレンズ境筒部の内部から見た構成図、
【図３】同レンズ装置の断面側面図、
【図４】同レンズ装置に備える筒部材連結機構を構成する連結具の正面図、
【図５】同連結具の一部断面底面図、
【図６】同筒部材連結機構の組付方法の説明図、
【図７】同筒部材連結機構の組付方法の他の説明図、
【発明を実施するための形態】
【００２０】
次に、本発明に係る好適実施形態を挙げ、図面に基づき詳細に説明する。
【００２１】
まず、本実施形態に係るレンズ装置１の全体構成について、図１〜図３を参照して説明する。
【００２２】
例示のレンズ装置１は、交換レンズであり、光学機器を構成するフィルムカメラ又はデジタルカメラ等のカメラボディ（不図示）に着脱して使用することができる。図３中、２は、レンズ装置１におけるレンズ鏡筒部であり、このレンズ鏡筒部２は、リング部材を含む四つの筒部材（Ｃａ，Ｃｂ，Ｃｃ，Ｃｄ）、具体的には、外側から内側に、フォーカス調整リングＣａ、固定筒部Ｃｂ、中間筒部Ｃｃ，仮想線で示したフォーカスレンズユニット２１を支持するフォーカスレンズ支持筒部Ｃｄを備え、フォーカス調整リングＣａ、固定筒部Ｃｂ、中間筒部Ｃｃ及びフォーカスレンズ支持筒部Ｃｄは、同軸上であって径方向に重ねて配する。
【００２３】
この場合、円筒形に形成した固定筒部Ｃｂは、レンズ鏡筒部２の基部となり、後端部に、カメラボディのレンズマウント部に着脱するバヨネット結合部２２を備えるとともに、固定筒部Ｃｂの外周面には雄螺子部２３ｓを、また、内周面にはヘリコイドネジ機構２４を構成する雌螺子部２４ｎをそれぞれ形成する。
【００２４】
レンズ鏡筒部２の最外郭に備えるフォーカス調整リングＣａは、リング形に形成したリング後半部２５ｒと、このリング後半部２５ｒの前端の外周面位置から前方に突出したリング前半部２５ｆを一体形成する。これにより、リング後半部２５ｒの内周面に形成した雌螺子部２３ｎを、上述した固定筒部Ｃｂの雄螺子部２３ｓに螺合するこにより、フォーカス調整リングＣａを固定筒部Ｃｂに装着する。一方、リング前半部２５ｆは、手で把持することにより回し操作できる操作環として形成する。
【００２５】
中間筒部Ｃｃは、前端を固定筒部Ｃｂの中間位置に位置させ、かつ後部を固定筒部Ｃｂの後端から後方へ突出させる。また、中間筒部Ｃｃの外周面には、上述したヘリコイドネジ機構２４を構成する雄螺子部２４ｓを形成するとともに、中間筒部Ｃｃの内周面には、ヘリコイドネジ機構２６を構成する雌螺子部２６ｎを形成する。これにより、雄螺子部２４ｓを雌螺子部２４ｎに螺合して、固定筒部Ｃｂの内周面に中間筒部Ｃｃを装着する。
【００２６】
フォーカスレンズ支持筒部Ｃｄは、外周面にヘリコイドネジ機構２６を構成する雄螺子部２６ｓを形成し、この雄螺子部２６ｓを上述した雌螺子部２６ｎに螺合することにより、フォーカスレンズ支持筒部Ｃｄを中間筒部Ｃｃに装着する。そして、このフォーカスレンズ支持筒部Ｃｄの内周面には、仮想線で示すフォーカスレンズユニット２１を組付けることができる。
【００２７】
以上の構成が、フォーカス調整リングＣａ、固定筒部Ｃｂ、中間筒部Ｃｃ，フォーカスレンズ支持筒部Ｃｄを含むレンズ鏡筒部２の基本構成となる。
【００２８】
一方、固定筒部Ｃｂの前端面Ｃｂｆにおける周方向Ｆｆのほぼ半部には、図１に示すように、段差面２７ｓと２７ｔを介して前端凹面２７ｉを形成する。したがって、この前端凹面２７ｉは、図２に示すように、前端面Ｃｂｆに対して、軸方向Ｆｓの後方へ段差面２７ｓ…だけオフセットした位置となる。
【００２９】
また、図１及び図３に示すように、フォーカス調整リングＣａにおけるリング後半部２５ｒの前端面に、金属プレートによりＴ形状に形成した係合具３１を、二つの固定ネジ３２，３２により固定する。これにより、係合具３１の中央位置には、一体形成により直角方向に突出するストッパ３１ｓを設けることができるため、図３に示すように、リング後半部２５ｒの前端面の軸方向Ｆｓ位置を、上述した固定筒部Ｃｂの前端凹面２７ｉにおける軸方向Ｆｓ位置に対してやや前寄りに選定すれば、ストッパ３１ｓの中間位置を９０°折曲することにより、先端側を、前端凹面２７ｉに近接した位置を横切らせることができるとともに、先端を中間筒部Ｃｃの先端面Ｃｃｆに形成した係合凹部２８に係合させることができる。
【００３０】
これにより、フォーカス調整リングＣａと中間筒部Ｃｃは、係合具３１（ストッパ３１ｓ）を介して連結されるため、フォーカス調整リングＣａに対して、中間筒部Ｃｃは、周方向Ｆｆの相対変位が規制されるとともに、軸方向Ｆｓの相対変位が許容される。したがって、フォーカス調整リングＣａを回し操作すれば、中間筒部Ｃｃも一体に回転するとともに、ヘリコイドネジ機構２４等により生じるフォーカス調整リングＣａと中間筒部Ｃｃ間の軸方向Ｆｓの相対変位は、ストッパ３１ｓと係合凹部２８間で吸収される。なお、フォーカス調整リングＣａを回し操作できる範囲は、ストッパ３１ｓが段差面２７ｓ又は２７ｔにそれぞれ当接する位置までとなる。
【００３１】
次に、本実施形態に係るレンズ装置１に備える筒部材連結機構３の具体的構成について、図１〜図７を参照して説明する。
【００３２】
この筒部材連結機構３は、本発明の要部を構成し、上述した固定筒部Ｃｂの前端面Ｃｂｆとフォーカスレンズ支持筒部Ｃｄ間を連結する機能を備える。筒部材連結機構３には、図４及び図５に示す金属プレートにより一体形成したＬ形状の連結具４を用いる。連結具４は、一側に位置する円弧形状の固定部４ｃと、この固定部４ｃの一端側から直角方向に突出した他側に位置する係合凸部４ｓからなり、固定部４ｃには、後述する固定ネジ４１，４１が挿通する二つのネジ挿通孔３５，３５を形成する。
【００３３】
また、係合凸部４ｓは、周方向Ｆｆ（固定部４ｃの長手方向）の両側に係合辺部４ｓｐ，４ｓｑを有するため、この係合辺部４ｓｐ，４ｓｑに、本発明に従って、後述するフォーカスレンズ支持筒部Ｃｄに設けた係合凹部５ｈに係合させた際に当該係合辺部４ｓｐ，４ｓｑの先端４ｓｐｃ，４ｓｑｃを通る法線Ｌｓ…に対して、所定角度Ｑｓ…だけ傾斜させた傾斜辺部１１ｐ，１１ｑを形成する。したがって、係合凸部４ｓは、先端側に行くに従って漸次狭幅となる。なお、所定角度Ｑｓとしては、３０〔°〕前後が望ましい。このように、係合凸部４ｓを形成するに際し、周方向Ｆｆ両側の係合辺部４ｓｐ，４ｓｑに、傾斜辺部１１ｐ，１１ｑを形成すれば、反対の向きとなる二方向から係止させることができるため、一方向に片寄ることなく係合方向の観点からバランスのとれた安定した係合状態を確保できる利点がある。
【００３４】
他方、筒部材連結機構３を構成するに際しては、連結具４に加え、当該連結具４の係合凸部４ｓが係合する、図１，図２及び図６に示す係合凹部５ｈを、フォーカスレンズ支持筒部Ｃｄの前端面Ｃｄｆに形成する。係合凹部５ｈは、フォーカスレンズ支持筒部Ｃｄの前端面Ｃｄｆから軸方向Ｆｓ後方へ断面矩形凹状に形成する。したがって、係合凹部５ｈは、両側に、壁面部５ｈｐ，５ｈｑを有するが、この壁面部５ｈｐ，５ｈｑは、上述した係合凸部４ｓを係合させるため、係合凸部４ｓの傾斜辺部１１ｐ，１１ｑが線接触又は面接触可能な傾斜面部１２ｐ，１２ｑに形成する。
【００３５】
この場合、図２に示すように、係合凹部５ｈの深さ、即ち、壁面部５ｈｐ，５ｈｑの軸方向Ｆｓの長さＬｗは、係合凸部４ｓの厚さＬｄに対して一定以上の長さを確保し、係合凸部４ｓに対する軸方向Ｆｓのスライド変位による相対的平行移動を許容し、かつガイド可能な形状に形成する。このように形成すれば、係合凹部５ｈに対する係合凸部４ｓの軸方向Ｆｓにおける相対位置が異なる場合であってもガタツキを低減できるため、レンズ鏡筒部２の各筒部材Ｃａ…におけるガイド機能や調整機能等の本来の機能を円滑かつ正確に発揮させることができる利点がある。
【００３６】
また、この係合凹部５ｈを設けるに際しては、図１に示すように、フォーカスレンズ支持筒部Ｃｄにおける１８０〔°〕対向する位置に一対の係合凹部５ｈ，５ｈを形成する。このように形成（構成）すれば、フォーカスレンズ支持筒部Ｃｄに対して、一対の係合凸部４ｓ，４ｓを、１８０〔°〕対向する二位置から係合させることにより連結できるため、中心がブレることなく位置的にバランスのとれた安定した筒部材連結機構３を構成できる利点がある。
【００３７】
一方、図１及び図６に示すように、固定筒部Ｃｂの前端面Ｃｂｆには、連結具４の固定部４ｃを取付けるためのネジ孔部４２，４２を、固定部４ｃに設けた二つのネジ挿通孔３５，３５に対応する位置に形成する。例示の場合、固定部４ｃを取付ける位置は、前端凹面２７ｉを設けていない前端面Ｃｂｆであって、各段差面２７ｓ，２７ｔの近傍位置に設けている。
【００３８】
次に、本実施形態に係るレンズ装置１に備える筒部材連結機構３の組付方法及び機能について、図６及び図７を参照して説明する。
【００３９】
今、レンズ装置１は、筒部材連結機構３が組付けられていないレンズ鏡筒部２が中間アセンブリとして組立られているものとする。筒部材連結機構３の組付けに際しては、二枚の連結具４，４を用意するとともに、図７に示す固定ネジ４１…を４本用意する。
【００４０】
そして、組付工程では、図６に示すように、一方の連結具４の固定部４ｃを、固定筒部Ｃｂの前端面Ｃｂｆの所定位置に重ね、固定部４ｃに形成したネジ挿通孔３５，３５を前端面Ｃｂｆに形成したネジ孔部４２，４２に一致させる。前端面Ｃｂｆにおける、固定部４ｃの位置を図６中に仮想線で示している。また、図１及び図２に示すように、係合凸部４ｓの先端側を係合凹部５ｈに収容して係合させる。この際、係合凸部４ｓの両側における一対の傾斜辺部１１ｐ，１１ｑは、係合凹部５ｈの壁面部５ｈｐ，５ｈｑ、即ち、一対の傾斜面部１２ｐ，１２ｑにそれぞれ線接触又は面接触する。
【００４１】
次いで、図７に示すように、固定ネジ４１，４１を、固定部４ｃのネジ挿通孔３５，３５に挿通させた後、ネジ孔部４２，４２にそれぞれ螺合すれば、一方の連結具４を固定筒部Ｃｂの前端面Ｃｂｆにおける一方側に取付けることができる。なお、この際、各固定ネジ４１，４１の最終的な締め付けは行わない。これにより、一方の連結具４の取付が終了するため、次いで、他方の固定具４も一方側の固定具４と同様に、固定筒部Ｃｂの前端面Ｃｂｆにおける他方側に取付ける。
【００４２】
この後、治具等によりフォーカスレンズ支持筒部Ｃｄの芯出し（中心の位置出し）を行うとともに、この位置を維持した状態で、一対の連結具４，４を、係合凹部５ｈに対して同時に押し当てつつ、各固定ネジ４１…（例示は４本）に対する最終的な締め付けを行い、各連結具４，４を固定筒部Ｃｂの前端面Ｃｂｆに固定する。これにより、一対の傾斜辺部１１ｐ，１１ｑが一対の傾斜面部１２ｐ，１２ｑにそれぞれ線接触又は面接触した状態となるため、ガタツキの発生原因となる無用な隙間や遊び排除できる。
【００４３】
このように、本実施形態に係るレンズ装置１は、係合凸部４ｓの周方向Ｆｆにおける両側の係合辺部４ｓｐ，４ｓｑに、係合凹部５ｈに係合させた際に当該係合辺部４ｓｐ，４ｓｑの先端４ｓｐｃ，４ｓｑｃを通る法線Ｌｓ…に対して、所定角度Ｑｓ…だけ傾斜させた傾斜辺部１１ｐ，１１ｑを形成するとともに、傾斜辺部１１ｐ，１１ｑが係合する係合凹部５ｈにおける壁面部５ｈｐ，５ｈｑを、当該傾斜辺部１１ｐ，１１ｑに線接触又は面接触可能な傾斜面部１２ｐ，１２ｑに形成してなるため、特に、周方向Ｆｆへの変位を規制し、かつ軸方向Ｆｓへのスライド変位を許容する伝達機構を含む場合であっても、ガタツキを大幅に低減でき、伝達系に係わる精度及び安定性を高めることができる。しかも、筒部材連結機構３の一部を微細加工して調整を行う面倒な作業工程を不要にできるとともに、高度の精密加工部品を用意する必要も無くなるため、全体のコスト低減や作業性を高めることができる。
【００４４】
したがって、このような構成を有するレンズ装置１は、固定筒部Ｃｂに対して、フォーカス調整リングＣａを回し操作することができる。この際、フォーカス調整リングＣａには、固定した係合具３１を備えるとともに、この係合具３１のストッパ３１ｓは、段差面２７ｓと２７ｔ間に位置するため、フォーカス調整リングＣａを回し操作できる回動範囲は、ストッパ３１ｓが、段差面２７ｓ又は２７ｔに当接するまでの、ほぼ１８０〔°〕前後となる。
【００４５】
また、このストッパ３１ｓの先端は、中間筒部Ｃｃの先端面Ｃｃｆに形成した係合凹部２８に係合するため、中間筒部Ｃｃは、フォーカス調整リングＣａと一体に回動変位する。一方、この中間筒部Ｃｃの外周面と固定筒部Ｃｂの内周面間には、ヘリコイドネジ機構２４が介在するため、このヘリコイドネジ機構２４の作用により、中間筒部Ｃｃは固定筒部Ｃｂに対して軸方向Ｆｓへ相対変位する。さらに、中間筒部Ｃｃの内周面とフォーカスレンズ支持筒部Ｃｄの外周面間には、ヘリコイドネジ機構２６が介在するとともに、この際、フォーカスレンズ支持筒部Ｃｄと固定筒部Ｃｂは、筒部材連結機構３により連結され、周方向Ｆｆへの相対的回動変位が規制されているため、ヘリコイドネジ機構２６の作用、即ち、中間筒部Ｃｃの回動変位が運動変換された軸方向Ｆｓへの直進変位と中間筒部Ｃｃ自身の軸方向Ｆｓの直進変位が加算された変位量だけ、フォーカスレンズ支持筒部Ｃｄが軸方向へ変位する。
【００４６】
この結果、フォーカスレンズ支持筒部Ｃｄにより支持されるフォーカスレンズユニット２１も軸方向Ｆｓへ一体に変位し、フォーカス調整が行われる。この際、フォーカスレンズ支持筒部Ｃｄにおける、固定筒部Ｃｂに対する軸方向Ｆｓへの相対変位量は、前述した筒部材連結機構３、即ち、係合凸部４ｓと係合凹部５ｈ間で吸収される。
【００４７】
このように、レンズ鏡筒部２における位置が固定された固定筒部Ｃｂを任意の筒部材に選定し、筒部材連結機構３を介して他の筒部材に連結するようにすれば、固定筒部Ｃｂと他の筒部材を、筒部材連結機構３を用いてガタツキなく連結できるため、他の筒部材（Ｃｄ）を、固定筒部Ｃｂと一体となるように確実かつ安定した固定状態にすることができるとともに、全体の剛性を高めることができる。
【００４８】
また、レンズ鏡筒部２に備えるリング部材を構成するフォーカス調整リングＣａの回動変位が伝達されるフォーカスレンズ支持筒部Ｃｄを、他の筒部材に選定し、筒部材連結機構３を介して任意の筒部材に連結するようにすれば、任意の筒部材とフォーカスレンズ支持筒部Ｃｄを、筒部材連結機構３を用いて連結できるため、フォーカスレンズ支持筒部Ｃｄの周方向Ｆｆに対する回動変位を確実かつ安定に規制可能となり、フォーカスレンズ支持筒部Ｃｄの精度の高い軸方向Ｆｓの変位、即ち、高精度のフォーカス調整を実現することができる。
【００４９】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５０】
例えば、複数の筒部材（リング部材を含む）として、フォーカス調整リングＣａ、固定筒部Ｃｂ、中間筒部Ｃｃ，フォーカスレンズ支持筒部Ｃｄの四つを例示したが、例示以外の各種筒部材を適用できるとともに、数量として四つの筒部材を例示したが、二つ，三つ及び五つ以上の任意の数量を適用できる。また、筒部材連結機構３を適用する任意の筒部材と他の筒部材として、固定筒部Ｃｂとフォーカスレンズ支持筒部Ｃｄを挙げたが、他の同様の機能が要求される筒部材間にも同様に適用できる。さらに、フォーカス調整リングＣａは、マニュアル操作タイプを示したが、オートタイプ（電動タイプ）であってもよい。なお、線接触又は面接触は、特に分類する意味ではなく、連結具４における係合凸部４ｓの厚さが薄い場合や厚い場合の双方を適用できる意味である。一方、係合凸部４ｓ…は、任意の筒部材（Ｃｂ）の周方向Ｆｆにおける１８０〔°〕対向する位置に一対（４ｓ，４ｓ）設けるとともに、係合凹部５ｈ…は、他の筒部材（Ｃｄ）の周方向Ｆｆにおける１８０〔°〕対向する位置に一対（５ｈ，５ｈ）設けることが望ましいが、単一（一組のセット）で設ける場合を排除するものではない。また、係合凸部４ｓは、周方向Ｆｆにおける両側の係合辺部４ｓｐ，４ｓｑに、傾斜辺部１１ｐ，１１ｑを形成することが望ましいが、いずれか一方の傾斜辺部１１ｐ又は１１ｑに適用し、他方の傾斜辺部１１ｑ又は１１ｐは、非傾斜辺部により形成する場合を排除するものではない。さらに、係合凹部５ｈは、係合凸部４ｓの軸方向Ｆｓへの相対的平行移動を許容し、かつガイド可能な形状に形成したが、軸方向Ｆｓへの変位も規制する場合を排除するものではない。
【産業上の利用可能性】
【００５１】
本発明に係るレンズ装置は、交換レンズをはじめカメラ一体型のレンズにも利用できるとともに、標準レンズをはじめズームレンズやマクロレンズ等の各種タイプのレンズに利用できる。また、使用の対象となるカメラは、フィルムカメラ，デジタルカメラ，ビデオカメラ等の各種タイプのカメラに利用できる。
【符号の説明】
【００５２】
１：レンズ装置，２：レンズ鏡筒部，３：筒部材連結機構，４：連結具，４ｓ：係合凸部，４ｓｐ：係合辺部，４ｓｑ：係合辺部，４ｓｐｃ：係合辺部の先端，４ｓｑｃ：係合辺部の先端，５ｈ：係合凹部，５ｈｐ：係合凹部における壁面部，５ｈｑ：係合凹部における壁面部，１１ｐ：傾斜辺部，１１ｑ：傾斜辺部，１２ｐ：傾斜面部，１２ｑ：傾斜面部，Ｃａ：筒部材（フォーカス調整リング），Ｃｂ：筒部材（任意の筒部材（固定筒部）），Ｃｃ：筒部材，Ｃｄ：筒部材（他の筒部材（フォーカスレンズ支持筒部）），Ｆｆ：周方向，Ｆｓ：軸方向，Ｌｓ：係合辺部の先端を通る法線，Ｑｓ：所定角度
【図１】
2018105896.tif 000003
【図２】
2018105896.tif 000004
【図３】
2018105896.tif 000005
【図４】
2018105896.tif 000006
【図５】
2018105896.tif 000007
【図６】
2018105896.tif 000008
【図７】
2018105896.tif 000009